(57)【要約】      （修正有）【課題】フェンスに取り付けの標示板による怪我防止を図ったフェンスを提供する。【解決手段】中横枠体５と下横枠体６及び一対の縦枠体３とで形成される平面空間に標示板１０を取り付けることによって、標示板１０と中横枠体５、一対の縦枠体３との間に隙間が形成され、その隙間に隙間体１５を装着することを特徴とする。【選択図】図１
0003191748.tif 000002
【実用新案登録請求の範囲】
【請求項１】
中横枠体と下横枠体及び一対の縦枠体とで形成される平面空間に標示板を取り付けることによって隙間を形成するフェンスであって、
前記隙間に隙間体を装着することを特徴とするフェンス。
【請求項２】
請求項１のフェンスであって、
前記隙間体を、弾力性がある材質で、且つ、円形の頭部に上舌と下舌を一体成形の断面形状で柱状に形成することを特徴とするフェンス。
【請求項３】
請求項１のフェンスであって、
前記隙間体を、弾力性がある材質で、且つ、逆Ｕ字状で右舌と左舌を一体形成の面形状で柱状に形成することを特徴とするフェンス。
【請求項４】
請求項１のフェンスであって、
前記隙間体を、中横枠体、下横枠体及び一対の縦枠体に接合して、隙間をなくすことを特徴とするフェンス。
【考案の詳細な説明】
【技術分野】
【０００１】
本願考案は、フェンスに取り付けの標示板による怪我防止に関する。
【背景技術】
【０００２】
従来、特許文献1に示すフェンスがあり、手摺の不連続部に手が挟まれて怪我するのを防止するものである。又、図４に示す工事現場に設置するフェンスがあり、このフェンスは、基台２に垂設の縦枠体３と縦枠体３の間に、上横枠体４、中横枠体5及び下横枠体6とで、直方体に組み立ててある。尚、前記枠体は、金属製のパイプ、板材等である。
そして、前記上横枠体４と中横枠体5及び一対の縦枠体３とで形成される四角状の平面空間には、取付体８にネジ等の取付具８ａを介して金網７が取り付けてある。又、前記中横枠体５と下横枠体6及び一対の縦枠体３とで形成される四角状の平面空間には、取付体9にネジ等を介して取付具９ａを介して、金属製の標示板１０が取り付けてある。
【先行技術文献】
【特許文献】
【０００３】
【特許文献１】特開平０９−９６１２９号公報
【考案の概要】
【考案が解決しようとする課題】
【０００４】
特許文献１に開示のフェンスは、手摺に対する怪我防止である。一方、図4に示す本願のフェンスは、金属製の標示板１０における怪我防止である。即ち、中横枠体５と下横枠体6及び一対の縦枠体３で形成される平面空間に取り付ける金属製の標示板１０は、取付体9及び取付具９ａを介して取り付けられるが、中横枠体５と下横枠体6及び一対の縦枠体３との間には隙間１２が生ずるし、又、標示板10の寸法が大きかったりすると、標示板10は湾曲して取り付けられ、大きな隙間１２を生ずる。
そして、このフェンスに生ずる隙間１２に、指を突っ込むことにより怪我をするという課題がある。
そこで、本考案は、簡便に怪我を防止できるフェンスを提供するものである。
【課題を解決するための手段】
【０００５】
請求項１のフェンスは、中横枠体と下横枠体及び一対の縦枠体とで形成される平面空間に標示板を取り付けることによって隙間を形成するフェンスであって、その隙間に隙間体を装着する。
又、請求項２のするフェンスは、隙間体を弾力性がある材質で、且つ、円形の頭部に上舌と下舌を一体成形の断面形状で柱状に形成する。
又、請求項３のフェンスは、前記隙間体を弾力性がある材質で、且つ、逆Ｕ字状で右舌と左舌を一体成形の面形状で柱状に形成する。
又、請求項４のフェンスは、中横枠体、下横枠体及び一対の縦枠体に接合して、隙間をなくす。
【考案の効果】
【０００６】
本考案は、中横枠体、下横枠体及び一対の縦枠体と標示板との隙間を隙間体によって隙間をなくすことによって、指の挿入を阻止して怪我を防止する。
【図面の簡単な説明】
【０００７】
【図１】第1の実施の形態のフェンスであり、（Ａ）は正面図、（Ｂ）はＡ〜Ａ断面図である。
【図２】第２の実施の形態のフェンスであり、（Ａ）は正面図、（Ｂ）はＡ〜Ａ断面図である。
【図３】第３の実施の形態のフェンスであり、（Ａ）は正面図、（Ｂ）はＡ〜Ａ断面図である。
【図４】従来のフェンスの正面図である。
【考案を実施するための形態】
【０００８】
本考案の実施の形態について、図を参照して説明する。
図1（Ａ）（Ｂ）は、第1の実施の形態であり、従来と同じ部品には同じ符号を付して説明する。
【０００９】
図1（Ａ）に正面図を示すフェンスは、基台２に垂設の縦枠体３と縦枠体３の間に、上横枠体４、中横枠体５及び下横枠体６とで、直方体に組み立ててある。尚、前記枠体は、金属製のパイプ、板材等である。
そして、前記上横枠体４と中横枠体５及び一対の縦枠体３とで形成される四角状の平面空間には、取付体８にネジ等の取付具８ａを介して金網７が取り付けてある。又、前記中横枠体５と下横枠体6及び一対の縦枠体３とで形成される四角状の平面空間には、取付体９にネジ等を介して取付具９ａを介して、金属製の標示板１０が取り付けてある。
【００１０】
次に、金属製の標示板１０と中横枠体５と下横枠体6及び一対の縦枠体３との間に生ずる隙間１２に装着する隙間体１５について説明する。
この隙間体１５は、弾力性があるスポンジ状等の材質で、断面形状を円形の頭部１５ｃに上舌１５ｂと下舌１５ａを一体成形し、柱状に形成したものである。
そして、例えば、隙間体１５を標示板１０と中横枠体５に形成の隙間１２に挿入可能な長さに切断し、標示板１０の表面側に上舌５ｂと下舌１５ａが、裏面側に頭部１５ｃとなるような、標示板１０と中横枠体５に形成の隙間１２に挿入すると、この隙間体１５は標示板１０と中横枠体５の形状に合致して、外れることはなく装着できる。同様に、標示板１０と下横枠体６及び一対の縦枠体３とで形成される隙間１２にも、隙間体１５を装着する。
このように、隙間体１５を隙間１２に装着したフェンスは、隙間に指を挿入することができず、怪我防止になる。
【００１１】
次に、図２（Ａ）（Ｂ）に示す第２の実施の形態について説明する。この第２の実施形態は、第1の実施の形態とは隙間体の形状を異にするのみであるので、フェンスの部品には同じ符号を付して説明を略す。
図２（Ｂ）に示すように、隙間体１８は、弾力性があるスポンジ状等の材質で、断面形状が逆Ｕ字状で右舌１８ａと左舌１８ｂを一体成形で柱状に形成したものである。
そして、例えば、隙間体１８を標示板１０と中横枠体５に形成の隙間１２に挿入可能な長さに切断し、標示板１０の表面側に右舌１８ａが、裏面側に左舌１８ｂとなるような、標示板１０と中横枠体５に形成の隙間１２に挿入すると、この隙間体１８は標示板１０を左右で包み込み、中横枠体５に当接して、外れることはなく装着できる。同様に、標示板１０と下横枠体６及び一対の縦枠体３とで形成される隙間１２にも、隙間体１８を装着することによって、隙間１２に指の挿入を不可にして怪我を防止する。
【００１２】
次に、図３（Ａ）（Ｂ）に示す第３の実施の形態について説明する。この第３の実施形態は、第1の実施の形態とは隙間体の形状を異にするのみであるので、フェンスの部品には同じ符号を付して説明を略す。
図３（Ａ）（Ｂ）に示すように、隙間体２５は、図４に示す隙間１２に対応して、中横枠体５、下横枠体６及び一対の縦枠体３に、予め、隙間体２５（ここでは、鉄製の平板）を接合して、隙間１２をなくする。尚、この平板は、金属製の他、合成樹脂等であってもよい。
この隙間体２５を付設のフェンスに、標示板１０を取付体9にネジ等を介して取付具９ａを介して取り付けることによって、隙間１２は塞がれるので、指の挿入を不可にする。
尚、前記した隙間体の形状、材質の他、隙間を塞ぐ布等、種々の形状材質で形成しても良い。
【符号の説明】
【００１３】
２  基台
３  縦枠体
４  上横枠体
５  中横枠体
６  下横枠体
７  金網
１０  標示板
１２  隙間
１５、１８，２５  隙間体
【図１】
0003191748.tif 000003
【図２】
0003191748.tif 000004
【図３】
0003191748.tif 000005
【図４】
0003191748.tif 000006
【手続補正書】
【提出日】平成26年5月14日(2014.5.14)
【手続補正１】
【補正対象書類名】実用新案登録請求の範囲
【補正対象項目名】全文
【補正方法】変更
【補正の内容】
【実用新案登録請求の範囲】
【請求項１】
中横枠体と下横枠体及び一対の縦枠体とで形成される平面空間に標示板を取り付けることによって、前記標示板と中横枠体、下横枠体、一対の縦枠体との間に隙間が形成されるフェンスであって、  前記隙間に隙間体を装着することを特徴とするフェンス。
【請求項２】
請求項１のフェンスであって、前記隙間体を、弾力性がある材質で、且つ、円形の頭部に上舌と下舌を一体成形の断面形状で柱状に形成することを特徴とするフェンス。
【請求項３】
請求項１のフェンスであって、前記隙間体を、弾力性がある材質で、且つ、逆Ｕ字状で右舌と左舌を一体形成の面形状で柱状に形成することを特徴とするフェンス。
【請求項４】
請求項１のフェンスであって、標示板と中横枠体の間に形成される隙間に対しては隙間体を中横枠体に、標示板と下横枠体の間に形成される隙間に対しては隙間体を下横枠体に、標示板と一対の縦枠体の間に形成される隙間に対しては隙間体を一対の縦枠体に、接合して、隙間をなくすことを特徴とするフェンス。
【手続補正２】
【補正対象書類名】明細書
【補正対象項目名】０００５
【補正方法】変更
【補正の内容】
【０００５】請求項１のフェンスは、中横枠体と下横枠体及び一対の縦枠体とで形成される平面空間に標示板を取り付けることによって、前記標示板と中横枠体、下横枠体、一対の縦枠体との間に隙間が形成され、前記隙間に隙間体を装着する。又、請求項２のするフェンスは、前記隙間体を、弾力性がある材質で、且つ、円形の頭部に上舌と下舌を一体成形の断面形状で柱状に形成する。又、請求項３のフェンスは、前記隙間体を弾力性がある材質で、且つ、逆Ｕ字状で右舌と左舌を一体成形の面形状で柱状に形成する。又、請求項４のフェンスは、標示板と中横枠体の間に形成される隙間に対しては隙間体を中横枠体に、標示板と下横枠体の間に形成される隙間に対しては隙間体を下横枠体に、標示板と一対の縦枠体の間に形成される隙間に対しては隙間体を一対の縦枠体に、接合して、隙間をなくす。